(57)【要約】【課題】  不透明裏当板を使用することなしに，受入した当該薄層掲示物をしっかりと係止保持できる額縁の提供。【解決手段】  所要の囲繞空処Ｂ′を形成する囲繞枠体１の裏面側と内周壁面との間に，その内周壁面に沿って一周する切欠段部１ａ′〜１ｄ′を備え，その切欠段部１ａ′〜１ｄ′に配置される押さえ桟２ａ〜２ｄを備え，かつ，囲繞枠体１の裏面側には係止部材３・・・の各基端を，その各遊端側を上記切欠段部１ａ′〜１ｄ′側に突出させることができるようにして取り付けてなり，辺縁を上記切欠段部１ａ′〜１ｄ′に位置させて上記囲繞空処Ｂ′に入れた薄層掲示物Ａの該辺縁に，上記押さえ桟２ａ〜２ｄを重合するとともに，その押さえ桟２ａ〜２ｄを上記係止部材３・・・の遊端側で押さえるようにしてなる。【選択図】  図１
0003111708.tif 000002
【実用新案登録請求の範囲】
【請求項１】
所要の大きさと形状の囲繞空処（Ｂ′）を形成する囲繞枠体（１）の裏面側と内周壁面との間に，その内周壁面に沿って一周する切欠段部（１ａ′〜１ｄ′）を備えるとともに，その切欠段部（１ａ′〜１ｄ′）に配置される複数本の押さえ桟（２ａ〜２ｄ）を備え，かつ，上記囲繞枠体（１）の上記裏面側には複数の係止部材（３・・・）の各基端を，その各遊端側を上記切欠段部（１ａ′〜１ｄ′）側に突出させることができるようにして取り付けてなり，辺縁を上記切欠段部（１ａ′〜１ｄ′）に位置させて上記囲繞空処（Ｂ′）に入れた薄層掲示物（Ａ）の該辺縁に，上記押さえ桟（２ａ〜２ｄ）を重合するとともに，その押さえ桟（２ａ〜２ｄ）を上記係止部材（３・・・）の遊端側で押さえるようにしてなることを特徴とする額縁。
【請求項２】
上記薄層掲示物（Ａ）が，各種透明合成樹脂シートまたはフィルム 等の透光性材料製で，光が透過することにより，その掲示内容を効果的に鑑賞できるようにしたものであることを特徴とする請求項１記載の額縁。
【請求項３】
上記薄層掲示物（Ａ）が，不透光材料製のものであることを特徴とする請求項１記載の額縁。
【請求項４】
上記薄層掲示物（Ａ）が，ジグソーパズル板（ａ）であることを特徴とする請求項１，２または３記載の額縁。
【請求項５】
上記囲繞枠体（１）が，上側桟（１ａ），下側桟（１ｂ），左側桟（１ｃ）および右側桟（１ｄ）により方形の囲繞空処を（Ｂ′）を形成して一体に作製され，かつ，上記各桟（１ａ〜１ｄ）は，その裏面側と内周壁面との間に，上側切欠段部（１ａ′），下側切欠段部（１ｂ′），左側切欠段部（１ｃ′）および右側切欠段部（１ｄ′）を形成し，さらに，上記押さえ桟（２ａ〜２ｄ）
が，その長さをそれぞれ対向する上記切欠段部（１ａ′〜１ｄ′）の長さと同じにするとともに，それぞれの両端を４５°の斜切面としてなることを特徴とする請求項１，２，３または４記載の額縁。
【請求項６】
上記係止部材（３・・・・・・）が，囲繞枠体（１）の裏面側であって，上記切欠段部（１ａ′〜１ｄ′）の外側に位置する部分に基端部を回動自在に軸支され，適宜回動することにより，その遊端部を上記切欠段部（１ａ′〜１ｄ′）側に突出させることを特徴とする請求項１，２，３，４または５記載の額縁。
【請求項７】
上記薄層掲示物（Ａ）が，その表面にガラスまたは合成樹脂製の透明保護表板を重合していることを特徴とする請求項１，２，３，４，５または６記載の額縁。
【考案の詳細な説明】
【技術分野】
【０００１】
本考案は，組み上げたジグソーパズル，絵画，書，写真または賞状等の薄層掲示物を入れて掲げるのに使用する額縁に関する。
【背景技術】
【０００２】
一般に額縁は，方形または円形等の囲繞枠体の内側（囲繞空処）に，ガラスまたは合成樹脂製の透明保護表板，当該薄層掲示物，厚紙または木製の不透明裏当板を順に重合した状態にして入れ，上記囲繞枠体の裏面に備えた係止部材で上記不透明裏当板の裏面を押圧し，上記の重合させたもの全体を係止する構成をなしている。
【特許文献１】特開２００２−１４２９３７号公報
【考案の開示】
【考案が解決しようとする課題】
【０００３】
しかし，上記薄層掲示物が，透光性材料（例えば，ガラス，各種の透明合成樹脂シートまたはフィルム 等）によって製作され，裏面からの光が透過することにより，その掲示内容を効果的に鑑賞できるようにしたものである場合，上記従来の額縁の構成では，不透明裏当板が支障になる。
また，上記薄層掲示物が，透光性材料で製作されていない場合であっても，その薄層掲示物自体を囲繞枠体に対し上記係止部材により十分に係止し保持できるのであれば，上記不透明裏当板は，少なくともその分だけ額縁をコスト高にする。
【０００４】
本考案の目的は，上記不透明裏当板を使用することなしに，受入した当該薄層掲示物をしっかりと係止保持できる額縁を提供し，特に，透光性材料で製作された薄層掲示物を裏面からの光の透過により効果的に鑑賞できるように掲額することができ，かつまた，透光性材料で製作されていない薄層掲示物であっても，不透明裏当板を使用する煩わしやそれによるコスト高を避けることができるようにすることにある。
【課題を解決するための手段】
【０００５】
実用新案登録請求の範囲請求項１記載の本考案額縁は，所要の大きさと形状の囲繞空処Ｂ′を形成する囲繞枠体１の裏面側と内周壁面との間に，その内周壁面に沿って一周する切欠段部１ａ′〜１ｄ′を備えるとともに，その切欠段部１ａ′〜１ｄ′に配置される複数本の押さえ桟２ａ〜２ｄを備え，かつ，上記囲繞枠体１の上記裏面側には複数の係止部材３・・・の各基端を，その各遊端側を上記切欠段部１ａ′〜１ｄ′側に突出させることができるようにして取り付けてなり，辺縁を上記切欠段部１ａ′〜１ｄ′に位置させて上記囲繞空処Ｂ′に入れた薄層掲示物Ａの該辺縁に，上記押さえ桟２ａ〜２ｄを重合するとともに，その押さえ桟２ａ〜２ｄを上記係止部材３・・・の遊端側で押さえるようにしてなるものである。
【０００６】
同請求項２記載の本考案は，上記薄層掲示物Ａが，各種透明合成樹脂シートまたはフィルム 等の透光性材料製で，光が透過することにより，その掲示内容を効果的に鑑賞できるようにしたものである請求項１記載の額縁である。
【０００７】
同請求項３記載の本考案は，求項３記載の本考案は，上記薄層掲示物Ａが，不透光材料製のものである請求項１記載の額縁である。
【０００８】
同請求項４記載の本考案は，上記薄層掲示物Ａが，ジグソーパズル板ａである請求項１，２または３記載の額縁である。
【０００９】
同請求項５記載の本考案は，上記囲繞枠体１が，上側桟１ａ，下側桟１ｂ，左側桟１ｃおよび右側桟１ｄにより方形の囲繞空処をＢ′を形成して一体に作製され，かつ，上記各桟１ａ〜１ｄは，その裏面側と内周壁面との間に，上側切欠段部１ａ′，下側切欠段部１ｂ′，左側切欠段部１ｃ′および右側切欠段部１ｄ′を形成し，さらに，上記押さえ桟２ａ〜２ｄが，その長さをそれぞれ対向する上記切欠段部１ａ′〜１ｄ′の長さと同じにするとともに，それぞれの両端を４５°の斜切面としてなる請求項１，２，３または４記載の額縁である。
【００１０】
同請求項６記載の本考案は，上記係止部材３・・・・・・が，囲繞枠体１の裏面側であって，上記切欠段部１ａ′〜１ｄ′の外側に位置する部分に基端部を回動自在に軸支され，適宜回動することにより，その遊端部を上記切欠段部１ａ′〜１ｄ′側に突出させる請求項１，２，３，４または５記載の額縁である。
同請求項７記載の本考案は，上記薄層掲示物Ａが，その表面にガラスまたは合成樹脂製の透明保護表板を重合している請求項１，２，３，４，５または６記載の額縁である。
【考案の効果】
【００１１】
本考案によれば，従来公知の額縁における不透明裏当板を使用しないので，かかる不透明裏当板を使用する煩わしやコスト高を避けることができ，また，薄層掲示物が，透光性材料（例えば，ガラス，各種の透明合成樹脂シートまたはフィルム 等）によって製作されている場合には，裏面から光を透過させて，その掲示内容を効果的に鑑賞できる。また，上記薄層掲示物が，透光性材料で製作されていない場合であっても，その薄層掲示物を囲繞枠体に対し係止部材により十分に係止し保持できる。すなわち，本考案は，不透明裏当板を使用することなしに，受入した当該薄層掲示物をしっかりと係止保持し，掲額できる。
【考案を実施するための最良の形態】
【００１２】
以下には，薄層掲示物Ａが，各種透明合成樹脂シートまたはフィルム 等の透光性材料製で横長方形のジグソーパズル板ａであって，光が透過することにより，その掲示内容（文字，図形，記号，模様もしくはこれらの結合またはこれらと色彩との結合）を効果的に鑑賞できるようにしたものを，入れて掲額できるようにした額縁Ｂを，実施例として添付図面を参照しながら詳しく説明する。
【実施例】
【００１３】
１は，横長方形の囲繞空処をＢ′を形成する合成樹脂製または木製の囲繞枠体で，それは，上側桟１ａ，下側桟１ｂ，左側桟１ｃおよび右側桟１ｄにより一体に作製されている。
これら上側桟１ａ，下側桟１ｂ，左側桟１ｃおよび右側桟１ｄは，その表面側を図示のように例えば断面ほぼ弧状にしたり，該表面に適宜の模様を施したりし，また裏面側と内周壁面との間には，Ｌ形の上側切欠段部１ａ′，Ｌ形の下側切欠段部１ｂ′，Ｌ形の左側切欠段部１ｃ′およびＬ形の右側切欠段部１ｄ′を形成している。
【００１４】
これら上下左右側の切欠段部１ａ′，１ｂ′，１ｃ′および１ｄ′は，横長方形の上記薄層掲示物Ａすなわちジグソーパズル板ａの上下左右辺縁の所要幅員を受入し，そのジグソーパズル板ａが，囲繞枠体１の囲繞空処Ｂ′に嵌入した状態になる所要の寸法に設定されている。
【００１５】
２ａは上側押さえ桟，２ｂは下側押さえ桟，２ｃは左側押さえ桟，２ｄは右側押さえ桟で，いずれも所要の合成樹脂製または木製であり，かつ，これら上下左右側の押さえ桟２ａ，２ｂ，２ｃおよび２ｄは，その長さを，それぞれ切欠段部１ａ′，１ｂ′，１ｃ′および１ｄ′の長さと同じにするとともに，それぞれの両端を４５°の斜切面としてなる。
【００１６】
３・・・・・・は，囲繞枠体１の上下左右側の桟１ａ，１ｂ，１ｃおよび１ｄの裏面側であって，上記上下左右側の切欠段部１ａ′，１ｂ′，１ｃ′および１ｄ′の外側に位置する部分に，基端部を回動自在に軸支した扁平爪形の係止部材で，適宜回動することにより，遊端部を上記切欠段部１ａ′，１ｂ′，１ｃ′および１ｄ′側に突出させることができる。
【００１７】
薄層掲示物Ａすなわち上記ジグソーパズル板ａを掲額するには，そのジグソーパズル板ａを，囲繞枠体１の裏面側から囲繞空処Ｂ′に一致させつつ，該ジグソーパズル板ａの上下左右辺縁を，上記切欠段部１ａ′，１ｂ′，１ｃ′および１ｄ′に受入させる。
【００１８】
次に，上記上下左右側の押さえ桟２ａ，２ｂ，２ｃおよび２ｄを，ジグソーパズル板ａの上下左右辺縁に重合しつつ上記切欠段部１ａ′，１ｂ′，１ｃ′および１ｄ′に嵌入する。
このとき，上側の押さえ桟２ａの両端の斜切面と左右側の押さえ桟２ｃ，２ｄの各上端の斜切面とが，また，下側の押さえ桟２ｂの両端の斜切面と左右側の押さえ桟２ｃ，２ｄの下端の斜切面とが，それぞれ当接する。
また，このとき，上下左右側の押さえ桟２ａ，２ｂ，２ｃおよび２ｄは，その各裏面を，囲繞枠体１の上下左右側の桟１ａ，１ｂ，１ｃおよび１ｄの裏面と面一にする。
【００１９】
その後，上記係止部材３・・・・・・を回動し，その各遊端を上記上下左右側の押さえ桟２ａ，２ｂ，２ｃおよび２ｄ側に突出させる。これにより，ジグソーパズル板ａは，その上下左右辺縁が，押さえ桟２ａ，２ｂ，２ｃおよび２ｄを介して，囲繞枠体１の上側桟１ａ，下側桟１ｂ，左側桟１ｃおよび右側桟１ｄ，さらに具体的には，切欠段部１ａ′，１ｂ′，１ｃ′および１ｄ′に係止される。
【００２０】
４，４は，囲繞枠体１の左右側の桟１ｃ，１ｄの裏面の取り付けた吊り下げ具で，これに吊り紐５の両端を結着し，この吊り紐５により，上記のようにしてジグソーパズル板ａを入れた額縁Ｂを，照明器具の前方や出窓等，光を取り入れることのできる所要のところに吊り下げ掲額する。
【００２１】
上記のように，上下左右側の押さえ桟２ａ〜２ｄは，長さを，切欠段部１ａ′〜１ｄ′の長さと同じにするとともに，それぞれの両端を４５°の斜切面とし，ジグソーパズル板ａの上下左右辺縁に重合しつつ上記切欠段部１ａ′〜１ｄ′に嵌入したとき，上側の押さえ桟２ａの両端の斜切面と左右側の押さえ桟２ｃ，２ｄの各上端の斜切面とが当接し，また，下側の押さえ桟２ｂの両端の斜切面と左右側の押さえ桟２ｃ，２ｄの下端の斜切面とが当接し，たがいに，係合しあった状態を維持する。
したがって，押さえ桟２ａ〜２ｄは，その各々が内方に向かって摺動したり，外れるようなことがない。すなわち，上記係止部材３・・・・・・による係止を解除しない限り，ジグソーパズル板ａすなわち薄層掲示物Ａを，囲繞枠体１にしっかりと係止保持することになる。
【００２２】
上記においては，ガラスまたは合成樹脂製の透明保護表板を使用しない実施例を示したが，該透明保護表板をジグソーパズル板ａの表面に重合することによって，その表面を保護するようにしてもよく，その場合には，当然ながら，上記切欠段部１ａ′，１ｂ′，１ｃ′および１ｄ′の深さを，上記透明保護表板の厚さを勘案したものにする。
【００２３】
また，上記においては，透光性材料製のジグソーパズル板ａを掲額する実施例を示したが，そのジグソーパズルにしても，あるいは絵画，書，写真または賞状等にしても，不透光材料製のものを掲額するのにも，本考案を適用できるものであることは明らかである。
【００２４】
さらに，上記においては，額縁の囲繞枠体が横長方形をなすものについて説明したが，この囲繞枠体としては，横長方形以外に縦長方形や正方形はもちろん，当該薄層掲示物に適合する円形や楕円形にしたものでもよく，その場合には，当然ながら，その薄層掲示物の外周縁を入れる切欠段部が長さ方向において弧状に湾曲連続し，したがってまた，押さえ桟もまた弧状に湾曲したものが複数本用意されることになる。
【図面の簡単な説明】
【００２５】
【図１】本考案の一実施例に係る額縁とこれに入れるジグソーパズル板の裏面図である。
【図２】同上の斜視図である。
【図３】図２のＩ−Ｉ線における一部省略拡大断面図である。
【図４】上記額縁の囲繞枠体にジグソーパズル板を入れ，かつ最後の上側桟を嵌めようとしている状態の裏面図である。
【図５】図４の最後の上側桟を嵌め終えた状態の額縁の裏面図である。
【図６】同上の要部の拡大図である。
【図７】同上の要部の拡大断面図である。
【図８】囲繞枠体にジグソーパズル板を入れ，吊り紐を使って掲額できる状態にした額縁の斜視図である。
【符号の説明】
【００２６】
Ａ          薄層掲示物
ａ          ジグソーパズル板
Ｂ          額縁
Ｂ′        囲繞空処
１          囲繞枠体
１ａ′      上側切欠段部
１ｂ′      下側切欠段部
１ｃ′      左側切欠段部
１ｄ′      右側切欠段部
２ａ〜２ｄ  押さえ桟
３・・・    係止部材
１ａ        上側桟
１ｂ        下側桟
１ｃ        左側桟
１ｄ        右側桟
【図１】
0003111708.tif 000003
【図２】
0003111708.tif 000004
【図３】
0003111708.tif 000005
【図４】
0003111708.tif 000006
【図５】
0003111708.tif 000007
【図６】
0003111708.tif 000008
【図７】
0003111708.tif 000009
【図８】
0003111708.tif 000010